(57)【要約】【課題】簡単な処理で通信品質を推定することが可能な通信技術を提供する。【解決手段】信号点取得部５は、受信部２で受信されたトレーニングシンボル及びパイロットシンボルのそれぞれについてのＩＱ平面上での受信信号点を求める。補正量取得部６は、トレーニングシンボルについての受信信号点及び既知の理想信号点に基づいて、パイロットシンボルの受信信号点についての補正量を求める。補正部７は、補正量取得部６で求められた補正量に基づいて、パイロットシンボルの受信信号点を補正する。通信品質推定部８は、パイロットシンボルについての補正後の受信信号点及び既知の理想信号点に基づいて通信品質を推定する。【選択図】図１
2010199814.tif 000002
【特許請求の範囲】
【請求項１】
第１及び第２既知信号を受信する受信部と、
前記受信部で受信された前記第１及び第２既知信号のそれぞれについてのＩＱ平面上での受信信号点を求める信号点取得部と、
前記第１既知信号の前記受信信号点と、前記第１既知信号についてのＩＱ平面上での既知の理想信号点とに基づいて、前記第２既知信号の前記受信信号点についての補正量を求める補正量取得部と、
前記補正量に基づいて、前記第２既知信号の前記受信信号点を補正する補正部と、
前記第２既知信号についての補正後の前記受信信号点と、前記第２既知信号についてのＩＱ平面上での既知の理想信号点とに基づいて、通信品質を推定する通信品質推定部と
を備える、通信装置。
【請求項２】
請求項１に記載の通信装置であって、
前記通信品質推定部は、前記第２既知信号についての補正後の前記受信信号点と、前記第２既知信号の前記理想信号点とに基づいて、ＥＶＭ（Error Vector Magnitude）あるいはＳＩＮＲ（Signal to Interference plus Noise power Ratio）を求めることによって通信品質を推定する、通信装置。
【請求項３】
（ａ）第１既知信号を受信する工程と、
（ｂ）第２既知信号を受信する工程と、
（ｃ）前記工程（ａ）で受信された前記第１既知信号についてのＩＱ平面上での受信信号点を求める工程と、
（ｄ）前記工程（ｂ）で受信された前記第２既知信号についてのＩＱ平面上での受信信号点を求める工程と、
（ｅ）前記第１既知信号の前記受信信号点と、前記第１既知信号についてのＩＱ平面上での既知の理想信号点とに基づいて、前記第２既知信号の前記受信信号点についての補正量を求める工程と、
（ｆ）前記補正量に基づいて、前記第２既知信号の前記受信信号点を補正する工程と、
（ｇ）前記第２既知信号についての補正後の前記受信信号点と、前記第２既知信号についてのＩＱ平面上での既知の理想信号点とに基づいて、通信品質を推定する工程と
を備える、通信品質推定方法。
【発明の詳細な説明】
【技術分野】
【０００１】
本発明は、既知信号に基づいて通信品質を推定する通信装置及び既知信号に基づいて通信品質を推定する方法に関する。
【背景技術】
【０００２】
従来から無線通信に関して様々な技術が提案されている。例えば特許文献１には、通信品質の指標となるＳＩＮＲ（信号対干渉雑音電力比：Signal to Interference plus Noise power Ratio）を求めるための技術が開示されている。また非特許文献１には、次世代ＰＨＳ（Personal Handyphone System）についての規格が記載されている。
【先行技術文献】
【特許文献】
【０００３】
【特許文献１】特開２００４−７２７２４号公報
【非特許文献】
【０００４】
【非特許文献１】“ARIB STD-T95 「OFDMA/TDMA TDD Broadband Wireless Access System(Next Generation PHS) ARIB STANDARD」1.1版”、平成２０年６月６日、社団法人電波産業会
【発明の概要】
【発明が解決しようとする課題】
【０００５】
さて、通信技術においては、できるだけ簡単な処理で通信品質を推定できることが一般的に望まれている。
【０００６】
そこで、本発明は上述の点に鑑みて成されたものであり、簡単な処理で通信品質を推定することが可能な通信技術を提供することを目的とする。
【課題を解決するための手段】
【０００７】
上記課題を解決するため、本発明に係る通信装置は、第１及び第２既知信号を受信する受信部と、前記受信部で受信された前記第１及び第２既知信号のそれぞれについてのＩＱ平面上での受信信号点を求める信号点取得部と、前記第１既知信号の前記受信信号点と、前記第１既知信号についてのＩＱ平面上での既知の理想信号点とに基づいて、前記第２既知信号の前記受信信号点についての補正量を求める補正量取得部と、前記補正量に基づいて、前記第２既知信号の前記受信信号点を補正する補正部と、前記第２既知信号についての補正後の前記受信信号点と、前記第２既知信号についてのＩＱ平面上での既知の理想信号点とに基づいて、通信品質を推定する通信品質推定部とを備える。
【０００８】
また、本発明に係る通信装置の一態様では、前記通信品質推定部は、前記第２既知信号についての補正後の前記受信信号点と、前記第２既知信号の前記理想信号点とに基づいて、ＥＶＭ（Error Vector Magnitude）あるいはＳＩＮＲ（Signal to Interference plus Noise power Ratio）を求めることによって通信品質を推定する。
【０００９】
また、本発明に係る通信品質推定方法は、（ａ）第１既知信号を受信する工程と、（ｂ）第２既知信号を受信する工程と、（ｃ）前記工程（ａ）で受信された前記第１既知信号についてのＩＱ平面上での受信信号点を求める工程と、（ｄ）前記工程（ｂ）で受信された前記第２既知信号についてのＩＱ平面上での受信信号点を求める工程と、（ｅ）前記第１既知信号の前記受信信号点と、前記第１既知信号についてのＩＱ平面上での既知の理想信号点とに基づいて、前記第２既知信号の前記受信信号点についての補正量を求める工程と、（ｆ）前記補正量に基づいて、前記第２既知信号の前記受信信号点を補正する工程と、（ｇ）前記第２既知信号についての補正後の前記受信信号点と、前記第２既知信号についてのＩＱ平面上での既知の理想信号点とに基づいて、通信品質を推定する工程とを備える。
【発明の効果】
【００１０】
本発明によれば、第１既知信号についての受信信号点及び既知の理想信号点に基づいて求められた補正量に基づいて第２既知信号の受信信号点を補正し、補正後の当該受信信号点と、当該第２既知信号の既知の理想信号点とに基づいて通信品質を推定している。したがって、受信信号についてのＩＱ平面上での受信信号点から当該受信信号点に対応するビットデータを求める処理を行うことなく通信品質を推定できる。よって、簡単な処理で通信品質を推定することができる。さらに、既知信号だけで通信品質を推定することができるため、ある時間帯においてデータ信号が送信されない場合であっても、通信品質を推定することができる。
【図面の簡単な説明】
【００１１】
【図１】本発明の実施の形態に係る通信装置の構成を示す図である。
【図２】次世代ＰＨＳのＰＲＵの構成例を示す図である。
【図３】本発明の実施の形態に係る通信装置の動作を示すフローチャートである。
【図４】本発明の実施の形態に係る通信装置での補正量を求める処理を説明するための図である。
【図５】本発明の実施の形態に係る通信装置でのデータシンボルに対する１次補正を説明するための図である。
【図６】本発明の実施の形態に係る通信装置でのデータシンボルに対する２次補正を説明するための図である。
【図７】本発明の実施の形態に係る通信装置での通信品質を推定する処理を説明するための図である。
【発明を実施するための形態】
【００１２】
図１は本発明の実施の形態に係る通信装置１００の構成を示す図である。通信装置１００は、例えば、上述の非特許文献１に規定されている次世代ＰＨＳに準拠した基地局であって、ＯＦＤＭＡ（Orthogonal Frequency Division Multiple Access）方式で複数の通信端末（図示せず）と双方向の無線通信を行う。通信装置１００は、時間軸と周波数軸とからなる２次元で特定される無線リソースを複数の通信端末のそれぞれに個別に割り当てることによって、当該複数の通信端末と同時に通信することが可能となっている。
【００１３】
図１に示されるように、通信装置１００は、受信部２及び送信部３を有する無線通信部１と、信号点取得部５と、補正量取得部６と、補正部７と、通信品質推定部８と、復調部９と、送信データ生成部１０と、変調部１１とを備えている。受信部２及び送信部３は送受信アンテナ４を共有している。
【００１４】
受信部２は、送受信アンテナ４で受信された信号に対して増幅処理やダウンコンバートを行って、送受信アンテナ４で受信された信号をベースバンド信号に変換して出力する。本実施の形態では、送受信アンテナ４で受信される信号は、ＢＰＳＫ（Binary Phase Shift Keying）変調方式やＱＰＳＫ（Quadrature Phase Shift Keying）変調方式などで変調されている。
【００１５】
信号点取得部５は、受信部２から出力されるベースバンド信号に含まれる各シンボルのＩ成分（同相成分）及びＱ成分（直交成分）を取得する。これより、信号点取得部５では、ベースバンド信号に含まれる各シンボルについてのＩＱ平面上の受信信号点が求められる。ベースバンド信号には、後述するように、データシンボル、既知のトレーニングシンボル及び既知のパイロットシンボルが含まれる。
【００１６】
補正量取得部６は、信号点取得部５で求められたトレーニングシンボルの受信信号点に基づいて、データシンボルの受信信号点についての１次補正量とパイロットシンボルの受信信号点についての補正量とを求める。さらに補正量取得部６は、信号点取得部５で求められたパイロットシンボルの受信信号点に基づいて、データシンボルの受信信号点についての２次補正量を求める。
【００１７】
補正部７は、補正量取得部６で求められた１次補正量に基づいてデータシンボルの受信信号点を補正し、その後、補正量取得部６で求められた２次補正量に基づいてデータシンボルの補正後の受信信号点を再度補正する。また補正部７は、補正量取得部６で求められた補正量に基づいてパイロットシンボルの受信信号点を補正する。
【００１８】
通信品質推定部８は、補正部７で補正されたパイロットシンボルの受信信号点に基づいて、通信装置１００とその通信相手装置との間の通信品質を推定する。
【００１９】
復調部９は、補正部７において２段階で補正されたデータシンボルの受信信号点に基づいて、当該データシンボルに対応するビットデータを取得する。その後、復調部９は、取得したビットデータに対して誤り訂正処理等を行って、通信相手装置から送信されたデータを再生する。
【００２０】
送信データ生成部１０は、復調部９で再生された、通信相手装置からのデータ等に基づいて送信データを生成する。
【００２１】
変調部１１は、通信品質推定部８で推定された通信品質に基づいて、送信データ生成部１０で生成された送信データが送信される際の変調方式を決定する。次世代ＰＨＳでは、複数の変調方式が規定されており、変調部１１は、当該複数の変調方式から、通信品質推定部８で推定された通信品質に応じた変調方式を選択する。例えば、変調部１１は、通信品質が悪い場合には、データの伝送速度が遅いＢＰＳＫ変調方式を選択し、通信品質が良い場合には、データの伝送速度が早いＱＰＳＫ変調方式を選択する。そして、変調部１１は、決定した変調方式に従って、複数のサブキャリアを送信データで変調する。その後、変調部１１は、変調後の複数のサブキャリアを合成してベースバンド信号（ベースバンドのＯＦＤＭシンボル）を生成する。このベースバンド信号は送信部３に入力される。
【００２２】
送信部３は、入力されたベースバンド信号を、アップコンバート及び増幅処理を行った後、送受信アンテナ４に入力する。これにより、送受信アンテナ４からは、通信相手装置に向かって無線信号が送信される。
【００２３】
ここで、次世代ＰＨＳでは、基地局と通信端末との通信はＰＲＵ（Physical Resourse Unit）２００単位で行われる。例えば、基地局では、通信端末に対する無線リソースの割り当てはＰＲＵ２００単位で行われ、通信端末に送信データを送信する際に使用する変調方式はＰＲＵ２００ごとに決定される。一つのＰＲＵ２００は、帯域幅が９００ｋＨｚの一つのサブチャネルと、時間幅が６２５μｓの一つのスロットとで表現される。一つのサブチャネルは２４個のサブキャリアで構成されている。
【００２４】
図２はＰＲＵ２００の構成例を示す図である。図２では横方向及び縦方向が時間及び周波数をそれぞれ示している。図２のＳ１〜Ｓ１９はＯＦＤＭシンボルの番号を示しており、図２のＦ１〜Ｆ２４はサブキャリアの周波数番号を示している。ＰＲＵ２００は、時間軸と周波数軸とからなる２次元で表現される。ＰＲＵ２００は、図２に示されるように、例えば、複数のデータシンボル２０１と、複数のトレーニングシンボル２０２と、複数のパイロットシンボル２０３と、複数のヌルシンボル２０４とを含んでいる。ＰＲＵ２００には、時間軸方向において、先頭に第１ガードタイムＧＴ１が、末尾に第２ガードタイムＧＴ２がそれぞれ設けられている。図２の例では、ＯＦＤＭシンボルＳ１に含まれる、周波数Ｆ２〜Ｆ１２，Ｆ１４〜Ｆ２４のサブキャリアのそれぞれがトレーニングシンボル２０２となっており、ＯＦＤＭシンボルＳ５，Ｓ９，Ｓ１３，Ｓ１７のそれぞれに含まれる、周波数Ｆ３，Ｆ７，Ｆ１１，Ｆ１５，Ｆ１９，Ｆ２３のサブキャリアのそれぞれがパイロットシンボル２０３となっている。また周波数Ｆ１のサブキャリアがガードキャリアとなっており、周波数Ｆ１３のサブキャリアがＤＣキャリアとなっている。そして、ＯＦＤＭシンボルＳ１〜Ｓ１９のそれぞれのガードキャリア及びＤＣキャリアのそれぞれがヌルシンボル２０４となっている。
【００２５】
本実施の形態に係る通信装置１００は、ＰＲＵ２００単位で、通信相手装置からの受信データを再生するとともに、通信相手装置との通信品質を推定する。以下に本通信装置１００での受信データの再生処理及び通信品質の推定処理について詳細に説明する。
【００２６】
図３は、受信データの再生処理及び通信品質の推定処理が行われるまでの本実施の形態に係る通信装置１００の一連の動作を示すフローチャートである。図３に示されるように、ステップＳＴ１において、信号点取得部５は、受信部２が受信した、一のＰＲＵ２００に含まれる複数のトレーニングシンボル２０２、複数のパイロットシンボル２０３及び複数のデータシンボル２０１のそれぞれについてのＩＱ平面上の受信信号点を求める。
【００２７】
次にステップＳＴ２において、補正量取得部６は、信号点取得部５で取得された、複数のトレーニングシンボル２０２の受信信号点に基づいて、複数のパイロットシンボル２０３の受信信号点についての補正量と複数のデータシンボル２０１の受信信号点についての１次補正量とを求める。
【００２８】
ここで、受信部２で受信された各シンボルの受信信号点は、当該シンボルが伝達する伝送路の特性によって理想信号点から変化する。ステップＳＴ２では、トレーニングシンボル２０２を使用して、データシンボル２０１及びパイロットシンボル２０３のそれぞれの受信信号点を理想信号点に近づけるための補正量を求める。なお、データシンボル２０１の受信信号点については、理想信号点に近づけるための補正が２段階で行われる。ステップＳＴ２では、１段階目の補正量である１次補正量が各データシンボル２０１について求められる。
【００２９】
図４はステップＳＴ２での処理を説明するための図である。図４では、送受信アンテナ４で受信された信号がＱＰＳＫ変調方式で変調されている場合において、あるトレーニングシンボル２０２のＩＱ平面上での受信信号点３００が示されている。
【００３０】
ＰＲＵ２００に含まれる各トレーニングシンボル２０２のＩＱ平面上での理想信号点３０１は既知であるため、各トレーニングシンボル２０２に関して、受信信号点３００が伝送路特性によって理想信号点３０１からどれだけ変化しているかを特定することができる。そして、一スロット内においては、通信装置１００とその通信相手装置との間の伝送路の特性はそれほど変化しないため、トレーニングシンボル２０２よりも後で受信されるデータシンボル２０１及びパイロットシンボル２０３のそれぞれの受信信号点は、それと同じ周波数を有するトレーニングシンボル２０２の受信信号点３００と同じように理想信号点から変化すると考えることができる。
【００３１】
そこで、本実施の形態では、各トレーニングシンボル２０２について、図４に示されるように、受信信号点３００を理想信号点３０１に一致させるために必要な受信信号点３００の変化量３１０を求める。具体的には、受信信号点３００を理想信号点３０１に一致させるために必要な、受信信号点３００についての振幅の変化量及び位相の回転量を求める。そして、各データシンボル２０１についての１次補正量として、それと同じ周波数を有するトレーニングシンボル２０２について求めた変化量３１０を採用する。このようにして求められた各データシンボル２０１についての１次補正量は、受信信号点を未知の理想信号点に一致させるために必要な当該受信信号点の変化量の推定値と見ることができる。
【００３２】
同様にして、各パイロットシンボル２０３の受信信号点についての補正量として、それと同じ周波数を有するトレーニングシンボル２０２について求めた変化量３１０を採用する。このようにして求められた各パイロットシンボル２０３についての補正量は、その受信信号点を理想信号点に一致させるために必要な当該受信信号点の変化量の推定値と見ることができる。
【００３３】
なお、トレーニングシンボル２０２について求めた変化量３１０は、当該トレーニングシンボル２０２が伝達する伝送路の特性に依存することから、変化量３１０を伝送路特性の推定値と見ることができる。
【００３４】
次にステップＳＴ３において、補正部７は、各データシンボル２０１の受信信号点を、それに対応する１次補正量に基づいて補正する。具体的には、図５に示されるように、補正部７は、各データシンボル２０１の受信信号点４００の振幅及び位相を、それに対応する１次補正量（変化量３１０）だけＩＱ平面上で変化させる。これにより、伝送路特性によるシンボルの歪みをキャンセルでき、各データシンボル２０１についての補正後の受信信号点４０２を理想信号点４０１に近づけることができる。
【００３５】
同様にして、補正部７は、各パイロットシンボル２０３の受信信号点を、それに対応する補正量に基づいて補正する。具体的には、補正部７は、各パイロットシンボル２０３の受信信号点の振幅及び位相を、それに対応する補正量（変化量３１０）だけＩＱ平面上で変化させる。これにより、伝送路特性によるシンボルの歪みをキャンセルでき、各パイロットシンボル２０３についての補正後の受信信号点を理想信号点に近づけることができる。
【００３６】
本通信装置１００において、ステップＳＴ３が実行されると、ステップＳＴ４，ＳＴ５が実行される。ステップＳＴ４では、補正量取得部６が、ＰＲＵ２００に含まれる複数のパイロットシンボル２０３の受信信号点に基づいて、各データシンボル２０１についての２次補正量を求める。
【００３７】
ここで、一スロット内においても、通信装置１００とその通信相手装置との間の伝送路の特性は多少変化する。そして、トレーニングシンボル２０２は、ＰＲＵ２００の一番先頭のＯＦＤＭシンボルＳ１だけに含められている一方で、複数のデータシンボル２０１は、ＰＲＵ２００において、ＯＦＤＭシンボルＳ１よりも後のＯＦＤＭシンボルＳ２〜Ｓ１９に渡ってそれらに含められている。したがって、データシンボル２０１の受信時の伝送路の特性が、トレーニングシンボル２０２の受信時の伝送路の特性から大きく変化していることがある。そのため、トレーニングシンボル２０２についての受信信号点及び理想信号点の差と、当該トレーニングシンボル２０２と同じ周波数を有するデータシンボル２０１についての受信信号点及び理想信号点の差とが大きく異なることがある。よって、上述のように、トレーニングシンボル２０２について求めた変化量３１０（伝送路特性の推定値）を使用して、当該トレーニングシンボル２０２と同じ周波数を有するデータシンボル２０１での受信信号点を補正したとしても、伝送路特性によるシンボルの歪みを十分にキャンセルできず、データシンボル２０１での受信信号点を理想信号点に十分に近づけることができない場合がある。その結果、データシンボル２０１の受信信号点から、当該データシンボル２０１に対応するビットデータを正確に求めることができない可能性がある。
【００３８】
一方で、パイロットシンボル２０３については、ＩＱ平面上での理想信号点が既知であるため、トレーニングシンボル２０２と同様にして、パイロットシンボル２０３を使用してデータシンボル２０１の受信信号点についての補正量を求めることができる。また、複数のパイロットシンボル２０３は、図２に示されるように、トレーニングシンボル２０２とは異なり、時間的に分散してＰＲＵ２００に含められているため、通信装置１００においては、複数のデータシンボル２０１の大部分が、トレーニングシンボル２０２よりもパイロットシンボル２０３に近い時刻で受信されることになる。したがって、大部分のデータシンボル２０１については、その受信時の伝送路特性が、パイロットシンボル２０３の受信時の伝送路特性とそれほど相違しない。
【００３９】
そこで、本実施の形態では、複数のパイロットシンボル２０３の受信信号点を使用して、各データシンボル２０１の受信信号点の２次補正量を求める。そして、各データシンボル２０１の受信信号点を２次補正量で再度補正する。これにより、伝送路特性の時間的変化の影響をキャンセルすることができ、各データシンボル２０１の受信信号点を理想信号点により近づけることができる。
【００４０】
ステップＳＴ４では、補正量取得部６は、まず、各パイロットシンボル２０３について、ステップＳＴ２と同様に、受信信号点を既知の理想信号点に一致させるために必要な受信信号点の変化量を求める。そして、補正量取得部６は、複数のパイロットシンボル２０３について求めた変化量に基づいて、各データシンボル２０１について、受信信号点を理想信号点に一致させるために必要な受信信号点の変化量の推定値を求める。つまり、補正量推定部６は、各データシンボル２０１が伝達する伝送路の特性の推定値を求める。ＰＲＵ２００において、隣り合う２つのパイロットシンボル２０３間のデータシンボル２０１についての変化量の推定値については、例えば内挿法を用いて求めることができる。また、ＰＲＵ２００において、複数のパイロットシンボル２０３の外側に位置するデータシンボル２０１についての変化量の推定値については、例えば外挿法を用いて求めることができる。そして、補正量取得部６は、各データシンボル２０１について、ステップＳＴ２で求めた１次補正量と、ステップＳＴ４で求めた変化量の推定値との差分を求めて、当該差分を２次補正量とする。
【００４１】
次にステップＳＴ６において、補正部７は、ステップＳＴ３で求められた、各データシンボル２０１の１次補正後の受信信号点を、それに対応する２次補正量に基づいて再度補正する。図６は、図５に示される補正後の受信信号点４０２を２次補正量４１０に基づいて補正する様子を示す図である。図６に示されるように、データシンボル２０１についての補正後の受信信号点４０２の振幅及び位相を２次補正量４１０だけＩＱ平面上で変化させることによって、２次補正後の受信信号点４０３は、１次補正後の受信信号点４０２よりも理想信号点４０１に近づくことになる。
【００４２】
その後、ステップＳＴ７において、復調部９は、各データシンボル２０１についての２次補正後の受信信号点に基づいて、各データシンボル２０１に対応するビットデータを求める。図６の例では、ビットデータ“００”，“１０”，“１１”，“０１”にそれぞれ対応する複数の信号点のうち、２次補正後の受信信号点４０３に最も近い信号点は“００”に対応する信号点であるため、当該データシンボル２０１に対応するビットデータは“００”となる。このようにして、各データシンボル２０１に対応する適切なビットデータを取得することができる。その結果、通信装置１００では通信相手装置からの受信データを再生することができる。
【００４３】
また、ステップＳＴ３の後に実行されるステップＳＴ５においては、通信品質推定部８が、各パイロットシンボル２０３についての補正後の受信信号点に基づいて、通信装置１００とその通信相手装置との通信品質を推定する。
【００４４】
ここで、上述のように、パイロットシンボル２０３の受信信号点は、ステップＳＴ３において、伝送路特性の影響がキャンセルされるように補正されるため、理想的には、補正後の受信信号点は理想信号点と一致することになる。
【００４５】
しかしながら、送受信アンテナ４で受信される信号には伝送路で雑音が付加されることから、受信信号についての受信信号点を上述のように補正したとしても、補正後の受信信号点は理想信号点とは一致しない。この受信信号点と理想信号点との差は、送受信アンテナ４で受信される信号に付加される雑音の大きさに依存することから、通信装置１００とその通信相手装置との通品品質を表していると考えることができる。
【００４６】
そこで、本実施の形態では、通信品質推定部８において、パイロットシンボル２０３についての補正後の受信信号点と理想信号点との差に基づいて、通信装置１００とその通信相手装置との通信品質を推定する。通信品質推定部８は、例えば、ＥＶＭ（Error Vector Magnitude）を求めて通信品質を推定する。図７はステップＳＴ５での処理を説明するための図である。
【００４７】
図７に示されるように、パイロットシンボル２０３の受信信号点５００は、ステップＳＴ３において、ステップＳＴ２で求められた補正量（変化量３１０）の分だけ補正される。そして、パイロットシンボル２０３の補正後の受信信号点５０２と理想信号点５０１との間には、通信品質に応じた差５１０を生じる。この差５１０がパイロットシンボル２０３のＥＶＭとなる。理想信号点５０１は既知であるため、補正後の受信信号点５０２と理想信号点５０１とに基づいてパイロットシンボル２０３のＥＶＭを求めることができる。通信品質推定部８は、ＰＲＵ２００における複数のパイロットシンボル２０３のそれぞれのＥＶＭを求める。そして、通信品質推定部８は、求めた複数のＥＶＭの平均値を求めて、当該平均値をＰＲＵ２００全体でのＥＶＭとする。変調部１１は、通信品質推定部８で求められたＥＶＭの平均値に基づいて、送信データを送信する際に使用する変調方式を決定する。変調部１１では、例えば、ＥＶＭの平均値が所定のしきい値よりも大きければＢＰＳＫ変調方式が選択され、ＥＶＭの平均値が所定のしきい値以下であればＱＰＳＫ変調方式が選択される。
【００４８】
なお、内挿法や外挿法を用いて、複数のパイロットシンボル２０３のＥＶＭから、各データシンボル２０１のＥＶＭを求めても良い。
【００４９】
また、通信品質推定部８において、ＥＶＭを求める代わりにＳＩＮＲを求めても良い。この場合には、例えば、複数のパイロットシンボル２０３のそれぞれについて、補正後の受信信号点５０２のＩＱ平面上での振幅を求めて、得られた複数の振幅の平均値の２乗を算出する。そして、上述のようにして求めた、複数のパイロットシンボル２０３のＥＶＭの平均値を、振幅の平均値の２乗で除算して得られる値を干渉雑音電力とする。その後、複数のパイロットシンボル２０３の電力の平均値を求めて、当該平均値を信号電力として、信号電力を干渉雑音電力で除算する。これにより得られた値がＰＲＵ２００全体でのＳＩＲＮとなる。パイロットシンボル２０３の電力は、補正後の受信信号点５０２のＩＱ平面上の振幅から求めることができる。
【００５０】
以上のように、本実施の形態に係る通信装置１００では、トレーニングシンボル２０２のＩＱ平面上での受信信号点と、トレーニングシンボル２０２についてのＩＱ平面上での既知の理想信号点とに基づいて、パイロットシンボル２０３のＩＱ平面上での受信信号点についての補正量が求められて、当該補正量に基づいて、パイロットシンボル２０３の受信信号点が補正されている。そして、通信装置１００では、パイロットシンボル２０３の補正後の受信信号点と、パイロットシンボル２０３についてのＩＱ平面上での既知の理想信号点とに基づいて、通信品質が推定されている。
【００５１】
このように、本実施の形態に係る通信装置１００では、トレーニングシンボル２０２及びパイロットシンボル２０３の２種類の既知信号を使用して通信品質を推定していることから、受信信号についてのＩＱ平面上での受信信号点から当該受信信号点に対応するビットデータを求める処理を行うことなく通信品質を推定できる。
【００５２】
データシンボル２０１についてのＩＱ平面上での受信信号点及び理想信号点の差に基づいてＥＶＭ等を求めて通信品質を推定することは可能であるが、この場合には、データシンボル２０１の理想信号点は未知であることから、データシンボル２０１の受信信号点に基づいて当該受信信号点に対応するビットデータを求めた後に、当該ビットデータに対応するＩＱ平面上での理想信号点を求める必要がある。
【００５３】
本実施の形態に係る通信装置１００では、求めたビットデータをＩＱ平面上の信号点に変換する処理を行うことなく通信品質を推定することができるため、簡単な処理で通信品質を推定することができる。
【００５４】
また、次世代ＰＨＳにおいては、データシンボルの替わり、ＤＴＸ（Discontinuous Transmission）シンボルと呼ばれる、データを含まないシンボルが含められたＰＲＵ２００が通信端末から基地局に送信されることがある。この場合には、基地局は、ある時間帯においてデータシンボルを受信することができない。したがって、基地局がデータシンボルを使用して通信品質を推定する場合には、ある時間帯において通信品質を推定することができない。
【００５５】
本実施の形態に係る通信装置１００では、既知信号だけで通信品質を推定することができることから、ある時間帯においてデータ信号たるデータシンボルが送信されない場合であっても、通信品質を推定することができる。
【００５６】
なお、上述のように、データシンボル２０１の受信信号点は、当該データシンボル２０１の受信時刻に近い時刻で受信されるパイロットシンボル２０３を使用して補正することができることから、伝送路特性によるシンボルの歪みを十分にキャンセルするように当該データシンボル２０１の受信信号点を補正することができる。したがって、このように補正されたデータシンボル２０１の受信信号点に基づいて通信品質を推定することによって、精度良く通信品質を推定することができる。
【００５７】
これに対して、パイロットシンボル２０３の受信信号点は、当該パイロットシンボル２０３の受信時刻とは少し離れた時刻で受信されるトレーニングシンボル２０２を使用して補正されることから、伝送路特性によるシンボルの歪みを十分にキャンセルできないことがある。したがって、本実施の形態のように、パイロットシンボル２０３の補正された受信信号点に基づいて通信品質を推定する場合には、データシンボル２０１を使用する場合と比較して通信品質の推定精度が多少落ちることがある。
【００５８】
しかしながら、変調部１１において、通信品質推定部８で推定された通信品質に基づいて変調方式が決定される際に使用されるしきい値を調整することによって、通信装置１００においては、パイロットシンボル２０３を使用して推定された通信品質に基づいて変調方式を決定する場合であっても、データシンボル２０１を使用して推定された通信品質に基づいて変調方式を決定する場合と同等の安定した通信を実現することができる。
【符号の説明】
【００５９】
２  受信部
５  信号点取得部
６  補正量取得部
７  補正部
８  通信品質推定部
１００  通信装置
２０２  トレーニングシンボル
２０３  パイロットシンボル
３００，５００  受信信号点
３１０  変化量
３０１，５０１  理想信号点
【図１】
2010199814.tif 000003
【図２】
2010199814.tif 000004
【図３】
2010199814.tif 000005
【図４】
2010199814.tif 000006
【図５】
2010199814.tif 000007
【図６】
2010199814.tif 000008
【図７】
2010199814.tif 000009